(57)【要約】【課題】ノズル体の傾斜旋回の操作性に優れたノズル体操作機構を装備する洗浄装置を提供すること。【解決手段】ノズル体と同期して回転する調整パネル薄板１１１よりも下方に備える内周側スイッチ体１１２と、外周側スイッチ体１１３と、前記調整パネル薄板の支軸とが一直線上でかつ縦列に並ぶ配置であり、前記ノズル体の傾斜旋回角度と対応した前記調整パネル薄板上の任意の孔に２つの突起体１１４、１１５を挿入装着するだけで前記ノズル体の傾斜旋回操作が可能である、操作性に優れたノズル体操作機構１１を装備する洗浄装置を提供する。【選択図】図３
0003183183.tif 000002
【実用新案登録請求の範囲】
【請求項１】
傾斜旋回するノズル体と同期回転する有孔調整パネル薄板と、前記調整パネル薄板上の孔に挿入装着する突起体と、前記突起体の到達を検出するスイッチ体とを少なくとも備えるノズル体操作機構を装備する洗浄装置において、
前記スイッチ体として、前記調整パネル薄板の外周縁端部近傍に配備する外周側スイッチ体と前記外周側スイッチ体よりも前記調整パネル薄板の支軸の近くに配備する内周側スイッチ体との複数のスイッチ体を有し、
前記ノズル体操作機構を構成する前記内周側スイッチ体と、前記外周側スイッチ体と、前記調整パネル薄板の支軸とが一直線上に並ぶことを特徴とする洗浄装置。
【考案の詳細な説明】
【技術分野】
【０００１】
本願考案は、オイルタンクなどの内部洗浄に用いられるノズル体操作機構を装備する洗浄装置に関するものである。
【背景技術】
【０００２】
特許文献１では、別個の駆動モータを使って回転軸筒と回転軸芯を駆動する駆動機構と、回転軸筒と回転軸芯の相対回転差で垂直軸線に対する噴射ノズル筒を上下に振り往復動させる機構と、回転軸筒への回転伝達に対し、回転軸芯への回転伝達を数倍から数十倍の比率に設定可能な減速機構とを備え、回転軸筒をゆっくりと回転させながらノズルを頻繁に回転させる二駆動モータの洗浄機構を開示している（特許文献１）。
【０００３】
また、特許文献２では、回転軸により液体供給筒の先端回転筒部を軸周りに回転させ、回転筒部先端で噴射ノズル筒を傾斜端部を回転面とし、旋回するようにしてなる液体噴射装置において、前記回転軸を回転軸芯とそれを内包する回転軸筒とからなり二重に構成して、回転軸筒を介して回転筒部を回転させる一方、回転軸芯を介して噴射ノズル筒を旋回させ、回転軸筒と回転軸芯の回転をそれぞれ受ける太陽歯車を備える第１遊星歯車機構と第２遊星歯車機構とからなるインジケータ機構を設け、インジケータ機構に軸線に対する噴射ノズル筒の傾斜角度を表示させ、スイッチ機構により液体噴射ノズルの振り角度の設定を容易に行わせる液体噴射装置の旋回傾斜角度の調整が容易な機構を開示している（特許文献２）。
【先行技術文献】
【特許文献】
【０００４】
【特許文献１】実登３１７２７５６号公報
【特許文献２】特開２０１２−１１０８８７号公報
【考案の概要】
【考案が解決しようとする課題】
【０００５】
上述の様な洗浄装置を使用する場面において、洗浄対象であるオイルタンクなどの内部に堆積するスラッジの状況はまちまちであるため、状況に応じて適宜ノズル体を傾斜旋回させる必要があり、その機構は当該洗浄装置の性能を決定付ける非常に重要な機構である。さらにノズル体の傾斜旋回操作についても非常に重要な役割を担う操作であるため、その操作性の向上が求められている。
【０００６】
そこで、本願考案では、ノズル体（筒）の傾斜旋回の操作性を向上させたノズル体操作機構を有する洗浄装置を提供することを課題とする。なお、本願考案で課題とする操作性の向上とは、傾斜旋回角度指定の容易さのみならず、誤操作又は誤動作の防止などノズル体にかかわるすべての操作及び表示が含まれる概念とする。
【課題を解決するための手段】
【０００７】
上記の課題を解決するために、傾斜旋回するノズル体と同期回転する有孔調整パネル薄板と、前記調整パネル薄板上の孔に挿入装着する突起体と、前記突起体の到達を検出するスイッチ体とを少なくとも備えるノズル体操作機構を装備する洗浄装置において、前記スイッチ体として、前記調整パネル薄板の外周縁端部近傍に配備する外周側スイッチ体と前記外周側スイッチ体よりも前記調整パネル薄板の支軸の近くに配備する内周側スイッチ体との複数のスイッチ体を有し、前記ノズル体操作機構を構成する前記内周側スイッチ体と、前記外周側スイッチ体と、前記調整パネル薄板の支軸とが一直線上に並ぶことを特徴とする洗浄装置を提供する。
【考案の効果】
【０００８】
本願考案にかかるノズル体操作機構を装備する洗浄装置は、前記内周側スイッチ体と、外周側スイッチ体と、前記調整パネル薄板の支軸とが一直線上に並ぶ配置であるため視認性に優れ、誤動作防止につながる。さらに、縦列に並ぶ配置であれば、なお視認性に優れる。
【０００９】
また、本願考案にかかるノズル体操作機構を有する洗浄装置は、大部分が前記調整パネル薄板に隠れているため、誤動作の防止につながる。
【図面の簡単な説明】
【００１０】
【図１】図１は、ノズル体操作機構の位置を示す洗浄装置の全体図である。
【図２】図２は、ノズル体操作機構を包含する統合インジケータの平面図である。
【図３】図３は、ノズル体操作機構の拡大図である。
【図４】図４は、ノズル体操作機構の要部拡大図である。
【考案を実施するための形態】
【００１１】
洗浄装置の構成について、図１から図３に従い説明する。
【００１２】
洗浄装置（１）は、駆動機構（２０、３０）を上部、かつ、上向き実装する縦姿勢において、最下部に備えるノズル体（４０）と、最上部に備える統合インジケータ（１０）と、上部左側に備える第１駆動機構（２０）と、上部右側に備える第２駆動機構（３０）と、前記第２駆動機構の駆動により回転する回転軸芯（３１）と、前記回転軸芯を内包し前記第１駆動機構の駆動により回転する回転軸筒（２１）と、下端に傾斜面（Ｙ）を備える先端回転筒部（２２）と、前記先端回転筒部（２２）の内周面と前記回転軸筒（２１）の外周面とを接合する円周方向の三箇所に半径方向に沿って放射状に延びる羽根板（２３）と、前記回転軸芯（３１）の先端に備える出力ベベルギア（３２）と、洗浄用液体の供給口（Ａ）と、で構成する（図１）。
【００１３】
前記統合インジケータ（１０）は、前記ノズル体（４０）の傾斜旋回角度を操作するノズル体操作機構（１１）と、前記先端回転筒部（２２）の旋回角度を操作する先端回転筒部操作機構（１２）などと、で構成する（図２）。
【００１４】
前記ノズル体操作機構（１１）は、円周状に多数の円形孔を穿設した円形状の調整パネル薄板（１１１）と、前記調整パネル薄板（１１１）よりも下方に配備する２つのスイッチ体（１１２、１１３）と、前記調整パネル薄板（１１１）の内周側孔に挿入装着する内周側突起体（１１４）と、前記調整パネル薄板（１１１）の外周側孔に挿入装着する外周側突起体（１１５）と、前記ノズル体（４０）の相対回転差を受ける上下段の太陽ギア（１１６）と前記各段の太陽ギアと噛合する一対の上下段の遊星ギア（１１７）と前記遊星ギアと噛合する共通内歯受け歯車（１１８）などで構成する伝達機構と、で構成する（図３及び図４）。
【００１５】
前記調整パネル薄板（１１１）の円周状に穿設した円形孔は、前記ノズル体（４０）の傾斜旋回角度である０度から１３５度に対応しており、各々の円形孔近傍には０から１３５までの表示をしている（図３）。
【００１６】
前記２つのスイッチ体は、前記調整パネル薄板（１１１）の外周縁端部近傍に配備する外周側スイッチ体（１１３）と、前記外周側スイッチ体よりも前記調整パネル薄板（１１１）の支軸の近く（内周側）に配備する内周側スイッチ体（１１２）とで構成し、前記調整パネル薄板（１１１）の支軸と一直線上に並ぶ様に配置する。好ましくは、さらに縦列に並ぶ配置である（図３）。
【００１７】
また、内周側スイッチ体（１１２）及び外周側スイッチ体（１１３）は、上方に配備する前記調整パネル薄板（１１１）により大部分が隠れる状態で配備される。
【００１８】
前記内周側スイッチ体（１１２）にはプッシュスイッチを採択しているがこれに限定されず、前記内周側突起体（１１４）の下端部がスイッチ体の真上部に到達又は通過したことを検知できる機能を有していれば良い。また、前記外周側スイッチ体（１１３）についても同様である。
【００１９】
前記内周側突起体（１１４）の下方部分の長さについて、前記内周側スイッチ体（１１２）の頭頂部を押下することができる長さで、かつ、前記調整パネル薄板（１１１）の回転を妨げない（底部に達しない）長さであることを要する。前記外周側突起体（１１５）の下方部分の長さについても同様である。
【００２０】
前記太陽ギア（１１６）について、上段で前記回転軸芯（３１）の回転を受け、下段で前記回転軸筒（２１）の回転を受ける。
【００２１】
前記回転軸筒（２１）は、前記回転軸芯（３１）を内包し、かつ、前記回転軸芯（３１）と同一軸心（Ｘ）である（図１）。
【００２２】
前記ノズル体（４０）は、上端傾斜端部に備え前記出力ベベルギア（３２）と噛合する入力ベベルギア（４１）と、下端（先端）噴出口に臨む位置に配置される逆円錐台形の拡散ノズル部（４２）と、を装備し、前記先端回転筒部（２２）の傾斜下端に相対回転する状態で連結する（図１）。
【００２３】
次に、ノズル体の傾斜旋回操作について、図１及び図３に従い説明する。
【００２４】
洗浄装置（１）を縦姿勢に設置し、第１駆動機構（２０）を作動することにより、前記第１駆動機構の出力軸に軸着された第１出力ギアを介しギア伝動が行われ回転軸筒（２１）がＸ軸周りで回転するとともに、先端回転筒部（２２）も一体的に回転する（図１）。
【００２５】
また、第２駆動機構（３０）を作動することにより、前記第２駆動機構の出力軸に軸着された第２出力ギアを介しギア伝動が行われ回転軸芯（３１）がＸ軸周りで回転するとともに、出力ベベルギア（３２）及び前記出力ベベルギア（３２）と噛合する入力ベベルギア（４１）も回転し、前記ノズル体（４０）が傾斜面（Ｙ）を回転面として傾斜旋回する（図１）。
【００２６】
前記ノズル体（４０）が傾斜面（Ｙ）を回転面として傾斜旋回を始めると、前記ノズル体（４０）の傾斜旋回と同期して前記調整パネル薄板（１１１）が回転する（図１及び図３）。
【００２７】
前記調整パネル薄板（１１１）の内周側円形孔の４５度位置に内周側突起体（１１４）を挿入装着し、外周側円形孔の３０度位置に外周側突起体（１１５）を挿入装着すると、前記調整パネル薄板（１１１）及び前記突起体（１１４、１１５）が一体的に回転する（図１及び図３）
【００２８】
前記ノズル体（４０）及び前記調整パネル薄板（１１１）が時計回りに回転しているとすると、３０度位置に挿入装着した前記外周側突起体（１１５）が外周側スイッチ体（１１３）の上に到達し前記外周側スイッチ体（１１３）の頭頂部を押し下げる。
【００２９】
前記外周側スイッチ体（１１３）の頭頂部が押し下がると、図示しない制御機構を介して第２駆動機構（３０）が逆回転する。
【００３０】
前記第２駆動機構（３０）が逆回転になることにより、第２駆動機構により駆動する前記回転軸芯（３１）を介して前記ノズル体（４０）及び前記調整パネル薄板（１１１）も逆回転を始める。
【００３１】
前記調整パネル薄板（１１１）が逆回転を続けると、４５度位置に挿入装着した前記内周側突起体（１１４）が内周側スイッチ体（１１２）の上に到達し前記内周側スイッチ体（１１２）の頭頂部を押し下げる。
【００３２】
前記内周側スイッチ体（１１２）の頭頂部が押し下がると、前記第２駆動機構（３０）が逆回転する（正回転に戻る）。
【００３３】
上述の作動を繰り返し、前記ノズル体（４０）は、３０度と４５度の範囲を繰り返し傾斜旋回（往復動）する。
【００３４】
なお、洗浄用液体の供給口（Ａ）から供給されたオイルなどの洗浄液体は、前記回転軸筒（２１）の内部を経由して前記拡散ノズル部（４２）から噴射される。
【産業上の利用可能性】
【００３５】
本願考案の洗浄装置は、ノズル体の傾斜旋回の操作性に優れた所定のノズル体操作機構を装備するので、産業上の利用性を有する。
【符号の説明】
【００３６】
１      洗浄装置
１０      統合インジケータ
１１      ノズル体操作機構
１１１    ノズル体パネル薄板
１１２    内周側スイッチ体
１１３    外周側スイッチ体
１１４    内周側突起体
１１５    外周側突起体
１１６    太陽ギア
１１７    遊星ギア
１１８    共通内歯受け歯車
１２      先端回転筒部操作機構
２０      第１駆動機構
２１      回転軸筒
２２      先端回転筒部
２３      羽根板
３０      第２駆動機構
３１      回転軸芯
３２      出力ベベルギア
４０      ノズル体
４１      入力ベベルギア
Ａ      洗浄用液体の供給口
【図１】
0003183183.tif 000003
【図２】
0003183183.tif 000004
【図３】
0003183183.tif 000005
【図４】
0003183183.tif 000006